(57)【要約】【課題】足場または支保工などの仮設構造物を構成する水平材と垂直材との間の位置決め作業の利便性を向上すること。【解決手段】水平材Ｂと垂直材Ｃとの間に設ける固定金具Ａであって、水平材Ｂと垂直材Ｃとの対向面間に位置する介在部１０と、介在部１０の両側から水平材Ｂ側に延びる一対の側壁２０ａ，２０ｂと、一方の側壁２０ａに設けて他方の側壁２０ｂとの間で水平材Ｂを挟んで位置決め可能な狭持部３０と、介在部１０から突設して垂直材Ｃを差し込み可能なホゾ部４０と、を少なくとも具備する。【選択図】図１
2019218776.tif 000002
【特許請求の範囲】
【請求項１】
仮設構造物を構成する水平材と垂直材との間に設ける固定金具であって、
水平材と垂直材との対向面間に位置する、介在部と、
介在部の両側から、水平材側に延びる、一対の側壁と、
一方の側壁に設けて、他方の側壁との間で水平材を挟んで位置決め可能な、狭持部と、
介在部から突設して垂直材を差し込み可能な、ホゾ部と、
を少なくとも具備したことを特徴とする、
仮設構造物用の固定金具。
【請求項２】
前記狭持部が、
一方の側壁に設けた、螺合部と、
螺合部に螺合する、ボルトと、からなり、
ボルトの先端を水平材に当接して、ボルトと他方の側壁とで水平材を挟んで位置決め可能に構成したことを特徴とする、
請求項１に記載の仮設構造物用の固定金具。
【請求項３】
前記水平材を下側、前記垂直材を上側に位置した状態で、請求項１または２に記載の固定金具を介設してあることを特徴とする、
仮設構造物における水平材と垂直材の固定構造。
【請求項４】
前記水平材を上側、前記垂直材を下側に位置した状態で、請求項１または２に記載の固定金具を介設してあることを特徴とする、
仮設構造物における水平材と垂直材の固定構造。
【発明の詳細な説明】
【技術分野】
【０００１】
本発明は、仮設足場や支保工などの仮設構造物に用いる固定金具に関し、より詳しくは、仮設構造物を構成する水平材と垂直材との間に介在させるように設けて、水平材上での垂直材の滑動を防止するための固定金具に関する。
【背景技術】
【０００２】
仮設構造物の構築にあたり、大引受けａに架設した支柱受梁ｂにパイプサポートｃを位置決め固定する際、支柱受梁ｂとパイプサポートｃとを、番線ｄで結束する方法が一般的である（図４）。
【発明の概要】
【発明が解決しようとする課題】
【０００３】
しかし、上記した従来の方法では、以下に記載する問題のうち、少なくとも何れか１つの問題を有する。
（１）結束作業および解除作業に時間と手間を要するため、位置の微修正作業に労力を要する。
（２）熟練した作業員による番線結束でないと両者の位置決めが十分に行われずに、支柱受梁ｂ上をパイプサポートｃが滑動してしまう危険性がある。
【０００４】
よって、本発明は、水平材と垂直材との間の位置決め作業の利便性を向上可能な手段の提供を目的の一つとする。
【課題を解決するための手段】
【０００５】
上記課題を解決すべくなされた本願の第１発明は、仮設構造物を構成する水平材と垂直材との間に設ける固定金具であって、水平材と垂直材との対向面間に位置する、介在部と、介在部の両側から、水平材側に延びる、一対の側壁と、一方の側壁に設けて、他方の側壁との間で水平材を挟んで位置決め可能な、狭持部と、介在部から突設して垂直材を差し込み可能な、ホゾ部と、を少なくとも具備したことを特徴とする。
また、本願の第２発明は、前記第１発明において、前記狭持部が、一方の側壁に設けた、螺合部と、螺合部に螺合する、ボルトと、からなり、ボルトの先端を水平材に当接して、ボルトと他方の側壁とで水平材を挟んで位置決め可能に構成したことを特徴とする。
また、本願の第３発明は、前記水平材を下側、前記垂直材を上側に位置した状態で、前記第１発明または第２発明に記載の固定金具を介設してあることを特徴とする、仮設構造物における水平材と垂直材の固定構造に関する。
また、本願の第４発明は、前記水平材を上側、前記垂直材を下側に位置した状態で、前記第１発明または第２発明に記載の固定金具を介設してあることを特徴とする、仮設構造物における水平材と垂直材の固定構造に関する。
【発明の効果】
【０００６】
本発明によれば、以下に記載する効果のうち、少なくとも何れか１つの効果を得ることができる。
（１）番線による結束作業が不要であり、設置作業の労力が軽減する。
（２）ボルトの締結作業のみであるため、熟練工でなくとも確実な固定作業を実施できる。
（３）ボルトを緩めることで簡単に位置決めが解除できるため、位置の微修正作業も容易である。
（４）ボルトの先端を水平材に押しつけて水平材を変形させるように位置決めするため、水平材に対して固定金具の滑動が起こりにくくなる。
【図面の簡単な説明】
【０００７】
【図１】本発明の第１実施例に係る概略斜視図。
【図２】本発明の第１実施例に係る概略正面図。
【図３】本発明の第２実施例に係る概略正面図。
【図４】従来方法を示す概略斜視図。
【発明を実施するための形態】
【０００８】
以下、図面を参照しながら、本発明の実施例について説明する。
【実施例１】
【０００９】
＜１＞全体構成
図１，２を参照しながら、本実施例に係る固定金具および該固定金具を用いた水平材と垂直材との固定構造について説明する。
図１，２では、仮設構造物用の建枠を構成する建地Ｆの上に、先端部を昇降自在な受け材Ｄを複数配置し、この受け材Ｄ間に水平材Ｂを仮設している。
なお、受け材Ｄと水平材Ｂとの間には木板などの調整材Ｅを挟み込んで受け材Ｄに対する水平材Ｂの滑動を防止している。
そして、水平材Ｂの上部には本発明に係る固定金具Ａを配置し、固定金具Ａにパイプサポートなどの垂直材Ｃを差し込んで両者を位置決めしている。
【００１０】
＜１．１＞水平材
水平材Ｂは、仮設構造物の構成部材として略平面方向に架設する長尺部材である。
なお、水平材Ｂにおける「水平」とは、厳密な水平方向を定義するのみではなく、仮設構造物の略平面方向なども含む。
本実施例では、水平材Ｂとして、矩形状を呈する鋼管（角パイプ）で構成した梁材を想定している。
【００１１】
＜１．２＞垂直材
垂直材Ｃは、水平材Ｂに取り付ける部材である。
なお、垂直材Ｃにおける「垂直」とは水平材に対する厳密な垂直方向を定義するのみではなく、仮設構造物の平面方向と略直交する方向なども含む。
本実施例では、垂直材Ｃとして、パイプサポートを想定している。
【００１２】
＜２＞固定金具
固定金具Ａは、水平材と垂直材との間を連結するための部材である。
本発明に係る固定金具Ａは、介在部１０、一対の側壁２０、狭持部３０、およびホゾ部４０を少なくとも具備して構成し、水平材としての水平材Ｂと垂直材Ｃとの間に介設している。
以下、各部の詳細について説明する。
【００１３】
＜３＞介在部
介在部１０は、水平材と垂直材との間に介在するように位置する部材である。
本実施例では介在部１０を鋼板で構成しており、この鋼板の表面または裏面が、水平材Ｂとの接触面または垂直材Ｃとの接触面となる。
【００１４】
＜４＞一対の側壁
一対の側壁２０（２０ａ，２０ｂ）は、水平材の幅方向に対向するように位置する部材である。
一対の側壁２０は、介在部１０の両側端から水平材Ｂ側に伸びるように設ける。よって、介在部１０と一対の側壁２０とでもって下側を開口側とした略コ字形状を呈する。
なお、各側壁２０は、介在部１０を構成する鋼板の側縁を曲げて形成してもよいし、該鋼板に別部材を溶接して形成してもよい。
【００１５】
＜４．１＞側壁間の距離
側壁２０間の距離は、水平材Ｂの幅長と同一もしくはやや大きい程度とする。
当該構成とすることで、固定金具Ａを水平材Ｂに載置する作業が簡単となる。
【００１６】
＜４．２＞側壁の延伸長
介在部１０の両側端から水平材Ｂ側に伸びる側壁２０の延伸長は、長ければ長い程、水平材Ｂに設置する際の安定性が高まるが、水平材Ｂの下方に受け材Ｄなどを設けている場合には、この受け材Ｄに側壁２０が干渉しない程度の長さとしておく必要がある。
【００１７】
＜５＞狭持部
狭持部３０は、一方の側壁２０ａに設けて、他方の側壁２０ｂとで水平材を挟んで位置決めするための部材である。
本実施例では、狭持部３０を、一方の側壁２０ａに設けた貫通孔３１１と、前記貫通孔３１１と連通するように一方の側壁２０ａの外側面に溶接してなるナット３１２と、前記ナット３１２に螺合可能なボルト３２と、によって構成している。
図２に示すように、固定金具Ａを水平材Ｂに載置したのち、ボルト３２の螺合を勧めていくことで、ボルト３２の先端と、他方の側壁２０ｂとでもって水平材Ｂの両側面を挟むこむことで、固定金具Ａを水平材Ｂの所定位置に位置決めすることができる。
【００１８】
なお、ボルト３２の先端が水平材Ｂに食い込むまでボルト３２の螺合を勧めておくと、水平材Ｂに対して固定金具Ａの滑動がさらに起こりにくくなる効果が期待できる。
【００１９】
＜６＞ホゾ部
ホゾ部４０は、固定金具Ａに垂直材Ｃを連結するための部材である。
ホゾ部４０は、介在部１０の垂直材Ｃ側を向いた面に突設し、垂直材Ｃの内空部Ｃ１に差し込み可能な程度の直径を有する。
図２に示すように、このホゾ部４０に垂直材Ｃの内空部Ｃ１を差し込むことで、固定金具Ａと垂直材Ｃとの間の位置決めを行うことができる。
【００２０】
＜７＞その他の変形例
その他図示しないが、本発明では以下の変形例を適用することができる。
＜７．１＞軽量化
介在部１０、側壁２０、ホゾ部４０などについて、所望の強度が確保できる前提でパンチング加工を施し、固定金具Ａの軽量化を図ることができる。
＜７．２＞ボルトの螺合構造
一方の側壁２０にネジ溝を切った螺合孔を形成し、この螺合孔にボルト３２を螺合する態様で狭持部３０を構成することができる。
＜７．３＞ボルト先端の態様
ボルト３２の先端に別途プレートなどを設けて、水平材Ｂとの接触面積を増やすように構成することができる。
【実施例２】
【００２１】
図３は、本発明に係る固定金具Ａを用いて仮設構造物での水平材と垂直材とを位置決めした状態の別実施例を示す概略正面図である。
実施例１と異なる点は、水平材である水平材Ｂと、垂直材である垂直材Ｃの上下の位置関係が入れ替わっている点である。
すなわち、本発明に係る固定金具Ａは、実施例１における受け材Ｄの先端部材としても使用することができる。
本実施例によれば、固定金具Ａに設けた狭持部３０でもって水平材Ｂを位置決めすることができるため、実施例１に示すように受け材Ｄと水平材Ｂとの間に調整材Ｅを介装する必要が無い。
【符号の説明】
【００２２】
Ａ      固定金具
１０    介在部
２０    側壁
３０    狭持部
３１    螺合部
３１１  貫通孔
３１２  ナット
３２    ボルト
４０    ホゾ部
Ｂ      水平材
Ｃ      垂直材
Ｃ１    内空部
Ｄ      受け材
Ｅ      調整材
Ｆ      建地
ａ      大引受け
ｂ      支柱受梁
ｃ      パイプサポート
ｄ      番線
【図１】
2019218776.tif 000003
【図２】
2019218776.tif 000004
【図３】
2019218776.tif 000005
【図４】
2019218776.tif 000006